(57)【要約】【課題】高電圧の静電気を帯電したユーザーが光ディスク装置を操作する為にベゼルに触れると、ベゼル裏に設けられた電子部品から制御回路に静電気が入り、電子部品を誤動作させたり破壊する場合がある。【解決手段】筐体内に出没自在に設けられたトレイと、トレイに設けられ媒体を回転駆動させると共に光を媒体に照射することで媒体に情報の記録もしくは情報の再生のすくなくとも一方を行うピックアップモジュールと、トレイの一方側に設けられ導電材料で構成されるトレイカバーと、トレイの前端部に設けられ導電材料で構成されるとともにトレイカバーと常に導通する前面アース部と、トレイの前端部に前記前面アース部を覆って取り付けられるベゼルを備えて構成されることとした。【選択図】図４
2005174532.tif 000002
【特許請求の範囲】
【請求項１】
開口を有する筐体と、前記筐体内に収納され前記開口より出没自在に設けられたトレイと、
前記トレイに設けられ媒体を回転駆動させると共に光を媒体に照射することで媒体に情報の記録もしくは情報の再生のすくなくとも一方を行うピックアップモジュールと、
前記トレイの一方側に設けられ導電材料で構成されるトレイカバーと、
前記トレイの前端部に設けられ導電材料で構成されるとともに前記トレイカバーと導通する前面アース部と
を備えて構成されることを特徴とする光ディスク装置。
【請求項２】
前面アース部はトレイカバーと一体にて構成されることを特徴とする請求項１記載の光ディスク装置。
【請求項３】
前面アース部は、前記トレイの前端部に設けられた電子部品または配線と、前記トレイの前端部に設けられたベゼルの間に設けられていることを特徴とする請求項１記載の光ディスク装置。
【請求項４】
前面アース部は、トレイの出没方向ベゼル側からみて、前記トレイの前端部に設けられた電子部品または前記電子部品の周辺を覆うように設けられていることを特徴とする請求項１記載の光ディスク装置。
【請求項５】
少なくともトレイが筐体内に収納された状態においてトレイカバーと前記筐体とを導通させる導通手段を備え、前記導通手段は、少なくとも前記筐体に前記トレイを収納した状態において前記筐体を付勢しつつ前記筐体と導通する付勢手段を備えていることを特徴とする請求項１記載の光ディスク装置。
【請求項６】
前面アース部はトレイカバーと一体の第１のアース部と、
トレイカバーとは別体の第２のアース部を備え、
前記第１のアース部と前記第２のアース部とを接続したことを特徴とする請求項１記載の光ディスク装置。
【請求項７】
前面アース部はトレイカバーと一体の第１のアース部と、
トレイカバーとは別体の第２のアース部を備え、
前記第２のアース部は、トレイカバーに接続したことを特徴とする請求項１記載の光ディスク装置。
【発明の詳細な説明】
【技術分野】
【０００１】
本発明は、パーソナルコンピュータ，ノートブック型コンピュータなどの電子機器に搭載される光ディスク装置に関するものである。
【背景技術】
【０００２】
図６は従来の光ディスク装置を示す斜視図である。
【０００３】
図６において、１は筐体で、筐体１は上部筐体部１ａと下部筐体部１ｂを組み合わせて構成されており、しかも筐体１は一端開口の袋形状となっている。２は筐体１に出没自在に設けられたトレイで、トレイ２にはピックアップモジュール３が設けられており、ピックアップモジュール３には少なくとも光ディスクを回転させるスピンドルモータ３ａ、光ディスクに光を照射することでデータの記録か再生の少なくとも一方を行う光ピックアップ３ｂ及び制御回路を構成する回路基板（図示せず）が設けられている。５はトレイの前端に設けられた導電板である。
【０００４】
導電板５はむき出しになっているが、通常はこの導電板５を覆うように図示していないベゼルが設けられており、図６においては、この導電板５が観測できるようにベゼルは取り外されている。また、この導電板５には、同様に図示していない導電性のある弾性体（図示せず）が接触しており、しかも前記弾性体は、トレイ２の前面のしかも上部筐体部１ａ側に配置されており、トレイ２を収納した時にこの弾性体と上部筐体部１ａが接触するように構成されていた。
【０００５】
通常人体は静電気を帯電している場合が多く、時には数万ボルトに達することもある。高電圧の静電気を帯電したユーザーが光ディスク装置を操作する為にベゼルに触れると、ベゼルを通してベゼル裏に設けられた電子部品から制御回路に静電気が入り、制御回路を構成する電子部品を誤動作させたり破壊する場合がある。ベゼルに絶縁性のある材料を用いていても、この絶縁を破壊してベゼル裏に設けられた電子部品から静電気が入ることがある。
【０００６】
しかしこのような構成にすることによって、トレイ２の前面を高電圧の静電気を帯電したユーザーが触れても、静電気は導電板５から前記弾性体を介して筐体１に流れ、筐体１から結果的にアースに落ちることになり、制御回路に静電気が入ることを防止することができる。
【０００７】
先行例としては、（特許文献１），（特許文献２）がある。
【特許文献１】特開２００３−２１８５７４号公報
【特許文献２】特許第２８６１８４２号公報
【発明の開示】
【発明が解決しようとする課題】
【０００８】
しかしながらこのような従来の構成においては、ユーザーが帯電している静電気に対応するには、導電板５と上部筐体部１ａに設けられた導電性のある弾性体が接触抵抗が十分に低い様確実に接触することが必要であるが、使用による繰り返しのトレイ２の出し入れなどにより弾性体の弾性が劣化したり接触部分が汚れたり酸化する等の理由により、接触抵抗が増加し、静電気のアースが不十分になる場合があった。また、このような課題に対応する為には弾性体の材質や形状が重要で、構造の複雑化やコストアップの要因となっていた。
【０００９】
本発明は、上記従来の課題を解決するもので、ユーザーが帯電している静電気を簡単な構成で確実に接地できる光ディスク装置を提供することを目的とする。
【課題を解決するための手段】
【００１０】
このような課題を解決する為に本発明は、導電部材からなり開口を有する筐体と、前記筐体内に収納され前記開口より出没自在に設けられたトレイと、前記トレイに設けられ媒体を回転駆動させると共に光を媒体に照射することで媒体に情報の記録もしくは情報の再生のすくなくとも一方を行うピックアップモジュールと、前記トレイの一方側に設けられ導電材料で構成されるトレイカバーと、少なくとも前記トレイが前記筐体内に収納された状態において前記トレイカバーと前記筐体とを導通させる導通手段と、前記トレイの前端部に設けられ導電材料で構成されるとともに前記トレイカバーと常に導通する前面アース部と、前記トレイの前端部に前記前面アース部を覆って取り付けられるベゼルを備えて構成されることとした。
【発明の効果】
【００１１】
本発明は、高電圧の静電気を帯電したユーザーが光ディスク装置を操作する為にベゼルに触れ、静電気がベゼルの絶縁を破壊しても、ベゼル裏に設けられた前面アース部によって接地される為、ベゼル裏に設けられた電子部品から制御回路に静電気が入り、制御回路を構成する電子部品を誤動作させたり破壊することを回避することができる。
【発明を実施するための最良の形態】
【００１２】
請求項１記載の発明は、開口を有する筐体と、前記筐体内に収納され前記開口より出没自在に設けられたトレイと、前記トレイに設けられ媒体を回転駆動させると共に光を媒体に照射することで媒体に情報の記録もしくは情報の再生のすくなくとも一方を行うピックアップモジュールと、前記トレイの一方側に設けられ導電材料で構成されるトレイカバーと、前記トレイの前端部に設けられ導電材料で構成されるとともに前記トレイカバーと常に導通する前面アース部と、前記トレイの前端部に前記前面アース部を覆って取り付けられるベゼルを備えて構成されることを特徴とする光ディスク装置によって、高電圧の静電気を帯電したユーザーが光ディスク装置を操作する為にベゼルに触れ、静電気がベゼルの絶縁を破壊しても、前面アース部からトレイカバー、導通手段及び筐体を経由して本光ディスク装置を装着した電子機器のアースに落ちる為、光ディスク装置の制御回路に静電気が入り制御回路を構成する電子部品を誤動作させたり破壊することを回避することができる。
【００１３】
請求項２記載の発明は、前面アース部はトレイカバーと一体にて構成されることを特徴とする請求項１記載の光ディスク装置によって、前面アース部とトレイカバーの接続が確実になるとともに構成も簡単なものとなる為、静電気に対して信頼性の高い光ディスク装置を簡単な構成で提供できる。
【００１４】
請求項３記載の発明は、ベゼルの間には、前記トレイの前端部に設けられた電子部品または配線と、ベゼルの間に設けられていることを特徴とする請求項１記載の光ディスク装置によって、静電気が入りやすいトレイの前端部に設けられた電子部品または配線とベゼルの間に前面アース部を設けることによって、静電気に対して信頼性の高い光ディスク装置を提供することができる。
【００１５】
請求項４記載の発明は、前面アース部は、トレイの出没方向ベゼル側からみて、前記トレイの前端部に設けられた電子部品または前記電子部品の周辺を覆うように設けられていることを特徴とする請求項１記載の光ディスク装置によって、静電気が入りやすいトレイの前端部に設けられた電子部品から静電気が入りにくくすることができる。また、電子部
品が発光ダイオードの場合、発光を遮ることなく発光ダイオードからの静電気の進入を防ぐことができる。
【００１６】
請求項５記載の発明は、少なくともトレイが筐体内に収納された状態においてトレイカバーと前記筐体とを導通させる導通手段を備え、前記導通手段は、少なくとも前記筐体に前記トレイを収納した状態において前記筐体を付勢しつつ前記筐体と導通する付勢手段を備えていることを特徴とする請求項１記載の光ディスク装置によって、前面アース部の接地をより確実にし、より静電気に対して信頼性の高い光ディスク装置を提供することができる。
【００１７】
請求項６記載の発明は、前面アース部はトレイカバーと一体の第１のアース部と、トレイカバーとは別体の第２のアース部を備え、前記第１のアース部と前記第２のアース部とを接続したことを特徴とする請求項１記載の光ディスク装置によって、必要とする部分の接地を確実にし、さらにより静電気に対して信頼性の高い光ディスク装置を提供することができる。
【００１８】
請求項７記載の発明は、前面アース部はトレイカバーと一体の第１のアース部と、トレイカバーとは別体の第２のアース部を備え、前記第２のアース部は、トレイカバーに接続したことを特徴とする請求項１記載の光ディスク装置によって、必要とする部分の接地を確実にし、さらにより静電気に対して信頼性の高い光ディスク装置を提供することができる。
【００１９】
（実施の形態１）
以下、本発明における光ディスク装置の実施の形態について説明する。
【００２０】
図１，図２はそれぞれ本発明の一実施の形態における光ディスク装置の表斜視図及び裏斜視図である。図１，図２はともにトレイを筐体から引き出した状態を示している。図３は本発明の一実施の形態における光ディスク装置の裏斜視図であり、説明の為筐体の一部を除去した図である。図４は本発明の一実施の形態における光ディスク装置のベゼルを除去した表斜視図、図５は本発明の一実施の形態における光ディスク装置の要部拡大断面図である。
【００２１】
図１において、１は一端部開口の袋状の筐体で、筐体１は上部筐体部１ａと下部筐体部１ｂを組み合わせて構成されている。上部筐体部１ａと下部筐体部１ｂとは好ましくは図示していない係止手段とネジ止め部などを用いて、互いに強固に固定されている。筐体１の構成材料としては鉄，鉄合金，アルミ，アルミ合金，マグネシウム合金などの金属材料の様な導電材料が好適に用いられる。また、樹脂材料で各筐体部を構成し、その上に電着などの手法を用いて導電性の高い金属膜を形成したものを用いても良い。更に、上部筐体部１ａ及び下部筐体部１ｂそれぞれ同種の材料で構成しても良いし、異種の材料で構成しても良い。また、上部筐体部１ａ及び下部筐体部１ｂそれぞれの主平面部の平均肉厚は０．３ｍｍ〜１．６ｍｍの間であり、この平均肉厚の比較的薄い場合には上部筐体１ａ及び下部筐体部１ｂは金属材料で構成され、例えば、金属板をプレス加工などによって形成される。また、平均肉厚の比較的厚い場合には上部筐体部及び下部筐体部１ａはダイカスト（アルミ，マグネシウム合金など）で構成される。
【００２２】
筐体１には制御回路を構成した筐体側回路基板１ｄが設けられており、コネクタ１ｅにて外部の電子機器と接続可能となっている。
【００２３】
２は筐体に出没自在に設けられたトレイで、トレイ２は樹脂性のフレームで構成され、後述する各部が取り付けられている。３はトレイ２に設けられたピックアップモジュール
であり、スピンドルモータ３ａ、光ピックアップ３ｂ、制御回路を構成するトレイ側回路基板３ｄを含んで構成される。トレイ側回路基板３ｄはフレキシブル基板１６によって、筐体側回路基板１ｄと結線されている。
【００２４】
スピンドルモータ３ａは光ディスクの取り付け部３ｃが設けられており、取り付けた光ディスクを回転駆動させる。光ピックアップ３ｂは、図示していない光源や各光学部材を少なくとも搭載し、光ディスクに光を照射することで、光ディスクに情報を書き込むか或いは情報を読み出す動作の少なくとも一方を行うとともに、スピンドルモータ３ａに近づいたり離れたりする様に図示していない移動手段によって移動する。２ｇはディスク装着面で、ディスク装着時に光ディスクに対向する面である。４はトレイ２の前端面に設けられたベゼルで、ベゼル４はトレイ２が筐体１内に収納された時に、トレイ２の出没口１ｃを塞ぐように構成されており、樹脂材料やマグネシウムなどの金属合金で構成されている。
【００２５】
７はトレイ２の両端のレール部８に摺動自在に取り付けられた金属製のレールで、レール７は筐体１の内部に設けられたレールガイド９にも摺動自在に設けられており、このレール７を設けることでトレイ２は筐体１に脱落することなく出し入れ自在に取り付けられている。トレイ２を筐体１内に入れてしまうとトレイ２のロック機構１１に設けられた係止部（図示せず）と筐体１側に設けられた係止部（図示せず）が係止し、トレイ２が筐体１内に固定される。この固定状態は、本光ディスク装置を取り付けた電子機器からの信号によってロック機構１１が解除されることにより解除される他、イジェクトボタン１２を押すことによっても解除される。
【００２６】
１０はピックアップモジュール３及びスピンドルモータ３ａ等の部材の裏面を覆うとともにトレイ２に設けられたトレイカバーで、トレイカバー１０は板状に構成され、アルミや鉄などの導電性材料で構成され、しかも係止手段やネジ止めなどでトレイ２に取り付けられている。
【００２７】
図３は、説明の為筐体１の下部筐体部１のＡ部を除去して描いている。トレイ２の裏面にはレバー支持部１５が固定されており、またレバー１５ａがレバー支持部１５によってトレイ２の引き出し方向に所定範囲摺動自在に固定されている。レバー支持部１５もレバー１５ａも金属など導電体で構成されている。さらにレバー１５ａとレバー支持部１５の間には、バネなどの付勢手段１５ｂが設けられている。レバー１５ａは、付勢手段１５ｂによって、外部から負荷がかかっていない状態では摺動範囲の最も筐体１の背面１ｆ側に押し出された位置にある。またさらにレバー１５ａは、トレイ２が筐体１から引き出されている状態など外部から負荷がかかっていない状態では、トレイ２の背面１ｆ側の端部２ｆから背面１ｆ側に突出している。レバー１５ａの先端は折り曲げられており、筐体１の背面１ｆと対向する当接部１５ｃを形成している。
【００２８】
トレイ２を筐体１に収納させると当接部１５ｃは背面１ｆと当接し、レバー１５ａはトレイ２側に押し込まれる。したがってトレイ２を筐体１内に入れてしまい、トレイ２のロック機構１１によって固定された状態では、レバー１５ａは当接部１５ｃによって背面１ｆを付勢している。
【００２９】
一方、レバー支持部１５の一部はトレイカバー１０の一部と接触部を有し電気的に導通している。また、レバー１５ａはレバー支持部１５と摺動しており、少なくとも当接部１５ｃと背面１ｃが当接した状態では、レバー１５ａとレバー支持部１５は導通している。したがって、少なくとも当接部１５ｃと背面１ｆが当接した状態では、トレイカバー１０と筐体１は導通している。
【００３０】
次に本実施の形態における特徴部分について説明する。
【００３１】
図４において、トレイ２のベゼル４側の側面２ａには貫通孔２ｂが設けられており、ピックアップモジュール３の側面３ｅが露出し、側面２ａと側面３ｅは略同一面上にある。これによって、ピックアップモジュール３を構成する空間を確保しつつトレイ引き出し方向のトレイ２の長さを極力小さくしている。１３はイジェクトスイッチでベゼル４装着時はイジェクトボタン１２を押すことによって、ほぼその裏側にあるイジェクトスイッチ１３が押されてＯＮになり、電気信号が制御回路に伝わり、制御回路の指令によりロック機構１１が解除される。１４は発光素子で、発光することにより光ディスク装置の動作状態を表示する。発光素子１４は発光ダイオードや小型の電球等が望ましい。イジェクトスイッチ１３及び発光素子１４は、これらの配線を行うフレキシブル基板１７上に構成されており、フレキシブル基板１７はトレイ２のベゼル４側の側面２ａに設けられた突起２ｃ、２ｄによって係止または位置決めされている。
【００３２】
１０ａは導電板であり、トレイカバー１０の一部を曲げ加工することにより一体に構成されている。また、導電板１０ａはトレイ２引き出し方向ベゼル４側である矢印Ｂ側から見て、フレキシブル基板１７の一部を覆うように設けられている。ベゼル４装着時に、導電板１０ａ、ベゼル４並びにフレキシブル基板１７やフレキシブル基板１７上に構成される部品が互いに衝突しないように、側面２ａには凹部２ｅが設けられている。そして凹部２ｅ内にフレキシブル基板１７のイジェクトスイッチ１３や発光素子１４を構成する部分が配置されている。導電板１０ａには貫通孔１０ｂが設けられていて、矢印Ｂ側から見て貫通孔１０ｂから発光素子１４が見えるよう構成されている。
【００３３】
次に図５を用いて導電板１０ａ周辺の構造について説明する。図５は導電板１０ａの貫通孔１０ｂを通りディスク装着面２ｇに垂直な面による断面を示している。導電板１０ａとフレキシブル基板１７とは、接触によりフレキシブル基板１７に傷がつくことを避ける為に両者の間に間隔が設けられている。また、トレイカバー１０の導電板１０ａに繋がる部分とフレキシブル基板１７の縁部の接触を避けたい場合は、両者の間に絶縁シート１８を設けても良い。フレキシブル基板１７が設けられている側面２ａの凹部２ｅには、導電板１０ａに略平行して平板状の突起２ｈが設けられている。突起２ｈは、導電板１０ａの位置決めや、導電板１０ａの先端とフレキシブル基板１７との接触防止、フレキシブル基板１７の浮き上がり防止として機能している。
【００３４】
次に、以上のような構成による本発明の一実施の形態における作用について述べる。
【００３５】
高電圧の静電気を帯電したユーザーが光ディスク装置を操作する為にベゼル４に触れると、導電板１０ａが無い場合は、ベゼル４の材質が導電性の材質である場合はもちろんのこと、樹脂材料など絶縁体であっても絶縁を破壊して、静電気がフレキシブル基板１７の銅箔部分やフレキシブル基板１７上の発光素子１４から制御回路に入ってしまう場合がある。そのような場合においても、ベゼル４とフレキシブル基板１７の間に導電板１０ａがあることにより、静電気はトレイカバー１０に流れる。トレイカバー１０はトレイ側回路基板３ｄのアースに繋がっており、このアースはフレキシブル基板１６の配線のアース部分を通じて筐体側回路基板１ｄのアースに通じ、コネクタ１ｅへの結線を介して、接続している電子機器のアースに繋がっている。よって、静電気がトレイ側回路基板３ｄ等の電子部品を破壊することなく接地される。さらにトレイ２が筐体１に収納された状態など当接部１５ｃと背面１ｆが当接した状態では、トレイカバー１０はより確実に接地される。すなわちトレイカバー１０は当接部１５ｃと背面１ｆにて筐体１と導通し、静電気は筐体１へ流れ筐体から本光ディスク装置を搭載した電子機器のアースに落ちる。
【００３６】
導電板１０ａは、側面２ａを図４の矢印Ｂ側から見てフレキシブル基板１７が露出して
いる部分全面を少なくとも覆う形状であることが効果的であるが、本実施の形態では、発光素子１４のみを覆い、かつ発光を遮らないよう導電板１０ａに貫通孔１０ｂを設けている。イジェクトスイッチ１３に使用可能なスイッチの中には周囲をシールドし、アース可能なものがある。このタイプのスイッチをイジェクトスイッチ１３に使用し、シールドをフレキシブル基板１７のアースに接続すれば、既に述べたように接続する電子機器のアースまで繋がっている為、静電気がイジェクトスイッチ１３の接点部分から制御回路にはいることを防止できる場合もある。しかしこの場合においても、一般的に発光素子１４はシールドされていない為、少なくとも発光素子は導電板１０ａにて覆うことが望ましい。フレキシブル基板１７に他の電子部分が設けられている場合であっても、その電子部品に制御回路に繋がる部分をシールドする構造がなされていない場合は、少なくとも導電板１０ａにて覆うことが望ましい。
【００３７】
なお、本実施の形態においては、導電板１０ａはトレイカバー１０に一体に構成されているが、トレイカバー１０との導通が確保されるならば、導電板１０ａを別体としトレイカバー１０と接合するものであっても良い。この場合、接合方法としては半田や銀ロウなどの導電性接着剤を用いて接合しても良い。また、ネジやリベットなどの接合部材を用いて接合するものであっても良い。また、この場合の導電板１０ａの材質は、トレイカバー１０の材質と同一であっても良いが、別の材質であっても良い。この場合、導電板１０ａの材質は導電布（金属繊維と絶縁繊維を編んだもの），導電性テープ，金属シート等であっても良い。
【００３８】
また、導電板１０ａだけでは、静電気の防止効果が不足する場合には、導電板１０ａとは別の第２の導電板を設けてもよい。図７は、本発明の一実施の形態における光ディスク装置のベゼルを除去した表斜視図である。図７に示すように、導電板２１をイジェクトスイッチ１３の周りのフレキシブル基板１７を覆うように設け、導電板２１と導電板１０ａが接触するように配置している。
【００３９】
図８は、本発明の一実施の形態における光ディスク装置の要部拡大分解図である。導電板２１は、イジェクトスイッチ１３の周りのフレキシブル基板１７を覆って配置し、導電板２１に設けた突起２１ａで導電板１０ａと接触させ導通させている。また、導電板２１は、導電板１０ａと接続させた構成のほか、トレイカバー１０と接続させる構成としてもよい。
【産業上の利用可能性】
【００４０】
本発明の光ディスク装置は、高電圧の静電気を帯電したユーザーが光ディスク装置を操作しても、制御回路に静電気が入り、制御回路を構成する電子部品を誤動作させたり破壊することを回避することができる効果を有し、パーソナルコンピュータ，ノートブック型コンピュータなどの電子機器に適応できる。
【図面の簡単な説明】
【００４１】
【図１】本発明の一実施の形態における光ディスク装置を示す表斜視図
【図２】本発明の一実施の形態における光ディスク装置を示す裏斜視図
【図３】本発明の一実施の形態における光ディスク装置の裏斜視図であり、説明の為筐体の一部を除去した図
【図４】本発明の一実施の形態における光ディスク装置のベゼルを除去した表斜視図
【図５】本発明の一実施の形態における光ディスク装置の要部拡大断面図
【図６】従来の光ディスク装置を示す斜視図
【図７】本発明の一実施の形態における光ディスク装置のベゼルを除去した表斜視図
【図８】本発明の一実施の形態における光ディスク装置の要部拡大分解図
【符号の説明】
【００４２】
１    筐体
１ａ    上部筐体部
１ｂ    下部筐体部
１ｃ    出没口
１ｄ    筐体側回路基板
１ｅ    コネクタ
１ｆ    背面
２    トレイ
２ａ    側面
２ｂ    貫通孔
２ｃ    突起
２ｄ    突起
２ｅ    凹部
２ｆ    端部
２ｇ    ディスク装着面
２ｈ    突起
３    ピックアップモジュール
３ａ    スピンドルモータ
３ｂ    光ピックアップ
３ｃ    光ディスク取り付け部
３ｄ    トレイ側回路基板
３ｅ    側面
４    ベゼル
５    導電板
７    レール
８    レール部
９    レールガイド
１０    トレイカバー
１０ａ    導電板
１０ｂ    貫通孔
１１    ロック機構
１２    イジェクトボタン
１３    イジェクトスイッチ
１４    発光素子
１５    レバー支持部
１５ａ    レバー
１５ｂ    付勢手段
１５ｃ    当接部
１６    フレキシブル基板
１７    フレキシブル基板
１８    絶縁シート
２１    導電板
【図１】
2005174532.tif 000003
【図２】
2005174532.tif 000004
【図３】
2005174532.tif 000005
【図４】
2005174532.tif 000006
【図５】
2005174532.tif 000007
【図６】
2005174532.tif 000008
【図７】
2005174532.tif 000009
【図８】
2005174532.tif 000010